(57)【特許請求の範囲】
【請求項１】
植物を栽培する収容体と、この収容体の上部開口縁の対向縁部間に架設状態に配設する架設体とから成る支柱保持具付収容体であって、前記収容体は、前記上部開口縁の全周に外方へ突出状態に鍔状のフランジ部を設け、このフランジ部の長手方向の対向縁部の上面に、前記架設体のこの対向縁部に沿ったスライド移動を移動止めする位置決め係止部を長手方向に並設し、この位置決め係止部は、前記架設体をスライド移動止め係止し位置決めでき且つ前記架設体が乗り越えることも可能な程度の僅かな上方突出量に設定した突部を前記長手方向の対向縁部の上面に対設し、若しくは前記架設体が落ち込んで位置決め係止される凹溝部を、この凹溝部に落ち込んだ架設体がこの凹溝部を越えて再度スライド移動を再開できる程度の浅い深さに設定し前記長手方向の対向縁部の上面に設けた構成とし、前記架設体は、金属製の平板材の両端部を前記収容体の上部開口縁の対向縁部に被嵌状態に係合する湾曲形状に形成して前記対向縁部の対向する一方の縁部若しくは他方の縁部に上方から着脱自在に圧入被嵌係合しこの対向縁部に沿ってスライド移動自在となるスライド自在係合部を設け、前記収容体の上部開口縁の対向縁部に沿ってスライド移動自在に架設する構成とし、この架設体に支柱を挿通配設する挿通孔を設け、前記収容体に収容した土に立設する前記支柱を前記収容体の上部開口縁の対向縁部間に架設した前記架設体の前記挿通孔に挿通配設することでこの支柱が横倒阻止状態に保持されるように構成したことを特徴とする支柱保持具付収容体。
【請求項２】
前記収容体の上部開口縁の一組の対向縁部間に架設状態に配設する一の架設体と、この一の架設体と交差状態にして前記一組の対向縁部と異なるもう一組の対向縁部間に架設状態に配設する他の架設体とを有する構成としたことを特徴とする請求項１記載の支柱保持具付収容体。
【請求項３】
互いに交差状態に配設する前記一の架設体と他の架設体とは、互いに重合連通する位置に夫々前記挿通孔を設けた構成としたことを特徴とする請求項２記載の支柱保持具付収容体。
【請求項４】
前記架設体は、この架設体の架設方向に前記挿通孔を複数設けた構成としたことを特徴とする請求項１〜３のいずれか１項に記載の支柱保持具付収容体。
【発明の詳細な説明】
【技術分野】
【０００１】
本発明は、例えばプランターなどの植物を栽培する収容体に収容した土に支柱を立設する場合に、この支柱を横倒阻止状態に保持するための支柱保持具付収容体に関するものである。
【背景技術】
【０００２】
例えばプランターで植物を栽培する場合、特にトマトやナスなどのつる植物を栽培する場合には、この植物の苗や株をプランターに植えるのと一緒に、この植物のつるを支えるための支柱をプランターに立設している。これは、つる植物が、つる（即ち、茎）を自ら支えることが出来ずに他の樹木を支えにして（例えば巻き付いたり寄りかかったりして）上方へと成長する性質を有していて、この種のつる植物を栽培する場合には、つるを支えるための前記他の樹木の代替としての支柱が必須のためである。
【０００３】
しかしながら、従来においては、この支柱は、単にプランターに収容した土に差し込んで立設しているに過ぎないため、成長した植物の重みや強風などの影響でこの支柱が倒れてしまう場合があった。
【発明の開示】
【発明が解決しようとする課題】
【０００４】
本発明は、上述の問題点を鑑みこれを解決したものであって、例えばプランターなどの収容体で植物を栽培する際、この収容体に収容した土に立設する支柱をこの収容体の上部開口縁の対向縁部間に架設した架設体の挿通孔に挿通配設することで、この支柱を横倒阻止状態に保持でき、これまでのように単に支柱を収容体内の土に差し込んで立設していただけの場合に比してそれだけ強固に支柱を立設できるから、支柱が植物の重みや強風などで横倒する心配もなく良好に植物の栽培ができ、しかもこの架設体を収容体の上部開口縁の対向縁部に沿ってスライド移動できるからこの架設体の架設位置の調整、つまり支柱の立設位置の調整もスムーズにでき、更にこの架設体の両端部のスライド自在係合部で収容体の上部開口縁の対向縁部を係合状態としているため、例えば収容体に土を収容した際にこの収容体が変形して膨らんでしまうことも架設体により阻止でき、収容体の強度アップも図れるなど、極めて画期的で実用性に秀れた支柱保持具付収容体を提供することを課題とする。
【課題を解決するための手段】
【０００５】
添付図面を参照して本発明の要旨を説明する。
【０００６】
植物を栽培する収容体１と、この収容体１の上部開口縁２の対向縁部２Ａ，２Ｂ間に架設状態に配設する架設体３とから成る支柱保持具付収容体１であって、前記収容体１は、前記上部開口縁２の全周に外方へ突出状態に鍔状のフランジ部８を設け、このフランジ部８の長手方向の対向縁部２Ａ，２Ｂの上面に、前記架設体３のこの対向縁部２Ａ，２Ｂに沿ったスライド移動を移動止めする位置決め係止部Ｔを長手方向に並設し、この位置決め係止部Ｔは、前記架設体３をスライド移動止め係止し位置決めでき且つ前記架設体３が乗り越えることも可能な程度の僅かな上方突出量に設定した突部９を前記長手方向の対向縁部２Ａ，２Ｂの上面に対設し、若しくは前記架設体３が落ち込んで位置決め係止される凹溝部10を、この凹溝部10に落ち込んだ架設体３がこの凹溝部を越えて再度スライド移動を再開できる程度の浅い深さに設定し前記長手方向の対向縁部２Ａ，２Ｂの上面に設けた構成とし、前記架設体３は、金属製の平板材の両端部を前記収容体１の上部開口縁２の対向縁部２Ａ，２Ｂに被嵌状態に係合する湾曲形状に形成して前記対向縁部２Ａ，２Ｂの対向する一方の縁部２Ａ若しくは他方の縁部２Ｂに上方から着脱自在に圧入被嵌係合しこの対向縁部２Ａ，２Ｂに沿ってスライド移動自在となるスライド自在係合部４を設け、前記収容体１の上部開口縁２の対向縁部２Ａ，２Ｂに沿ってスライド移動自在に架設する構成とし、この架設体３に支柱６を挿通配設する挿通孔５を設け、前記収容体１に収容した土に立設する前記支柱６を前記収容体１の上部開口縁２の対向縁部２Ａ，２Ｂ間に架設した前記架設体３の前記挿通孔５に挿通配設することでこの支柱６が横倒阻止状態に保持されるように構成したことを特徴とする支柱保持具付収容体に係るものである。
【０００７】
また、前記収容体１の上部開口縁２の一組の対向縁部２Ａ，２Ｂ間に架設状態に配設する一の架設体３と、この一の架設体３と交差状態にして前記一組の対向縁部２Ａ，２Ｂと異なるもう一組の対向縁部２Ａ’，２Ｂ’間に架設状態に配設する他の架設体３とを有する構成としたことを特徴とする請求項１記載の支柱保持具付収容体に係るものである。
【０００８】
また、互いに交差状態に配設する前記一の架設体３と他の架設体３とは、互いに重合連通する位置に夫々前記挿通孔５を設けた構成としたことを特徴とする請求項２記載の支柱保持具付収容体に係るものである。
【０００９】
また、前記架設体３は、この架設体３の架設方向に前記挿通孔５を複数設けた構成としたことを特徴とする請求項１〜３のいずれか１項に記載の支柱保持具付収容体に係るものである。
【発明の効果】
【００１０】
本発明は上述のように構成したから、収容体に収容した土に支柱を立設する場合に、例えばこの支柱を土に差し込んだだけでは植物の重みや強風などによりこの支柱が横倒してしまう心配があったところを、本発明では、この支柱を、収容体の上部開口縁の対向縁部間に架設状態に配設した架設体の挿通孔に挿通配設することでこの支柱が横倒阻止状態に保持されることとなるから、それだけ強固にして確実に支柱を収容体に立設できる。
【００１１】
しかも、この架設体の両端部のスライド自在係合部が、収容体の上部開口縁の対向縁部に沿ってスライド移動できる、即ちこの架設体がこの対向縁部に沿ってスライド移動できるから、この架設体の位置を調整し、支柱の立設位置の調整も簡単に行える。
【００１２】
更に、この架設体は、両端部のスライド自在係合部を収容体の上部開口縁の対向縁部に被嵌状態に係合しているため、この対向縁部が接離方向に移動すること、即ち収容体が変形することを阻止でき、それだけこの収容体に土を収容した際にこの収容体が変形して膨らむことを阻止できるなど、収容体に架設状態に配設した架設体によりこの収容体の強度アップも図れる。
【００１３】
また、この架設体は、単に平板材を湾曲して簡易に生産できる簡易構成としているので、簡易な設計実現可能で生産コスト安にして量産性も向上する。
【００１４】
よって、本発明は、収容体の上部開口縁の対向縁部間に架設状態に配設した架設体によりこの収容体に支柱を横倒阻止状態に強固に立設でき、しかもこの架設体をスライド移動調整して支柱の立設位置も自在に調整して所望の位置に支柱を強固に立設でき、更に収容体自体の強度アップも図り得、例えばトマトやナスなどのつる植物のように、支柱を必須とする植物を収容体で極めて良好に栽培できるものとする極めて実用性に秀れた画期的で商品価値の高い支柱保持具付収容体となる。
【００１５】
また、請求項２，３記載の発明においては、収容体の一組の対向縁部に架設状態に配設する架設体と、これと異なるもう一組の対向縁部に架設状態に配設する架設体とを備え、この双方の架設体を交差状態に収容体に架設配設するから、この少なくとも二体の互いに交差する架設体により支柱の立設位置を収容体の一層様々な位置に自在に設定できるうえに、収容体の強度アップ（収容体の膨らみ防止）も一層良好に図り得る。しかも、交差する二体の架設体の互いの挿通孔を重合連通させたうえでこの挿通孔に支柱を連通すれば、この支柱によってこの交差状体の二体の架設体が互いに位置ズレ阻止状態に係止されることにもなり、ひいては、一層安定性良く強固に支柱を横倒阻止状態に保持できることとなり、一層良好に植物の栽培を行えるものとする一層実用性に秀れた支柱保持具付収容体となる。
【００１６】
また、請求項４記載の発明においては、挿通孔を複数設けたことで、それだけ一体の架設体で複数の支柱を横倒阻止状態に保持できたり、一体の架設体で支柱の立設位置を様々な位置に設定できることとなり、一層実用性に秀れた支柱保持具付収容体となる。
【発明を実施するための最良の形態】
【００１７】
好適と考える本発明の実施形態（発明をどのように実施するか）を、図面に基づいて本発明の作用を示して簡単に説明する。
【００１８】
植物を栽培する収容体１の上部開口縁２の対向縁部２Ａ，２Ｂに夫々、架設体３のスライド自在係合部４を被嵌状態に係合して、この対向縁部２Ａ，２Ｂ間に架設体３を架設状態に配設する。
【００１９】
この収容体１に収容した土に立設する支柱６を、この収容体１の上部開口縁２の対向縁部２Ａ，２Ｂ間に架設した前記架設体３に設けた挿通孔５に挿通配設することで、この支柱６が横倒阻止状態に保持される。
【００２０】
従って、収容体１に支柱６を立設する際、これまでは単に収容体１に収容した土にこの支柱６を差し込んで立設しているに過ぎなかったところを、本発明では、この収容体１に架設状態に配設した前記架設体３の前記挿通孔５にこの支柱６を挿通配設することで支柱６を横倒阻止状態に保持しているから、それだけこの支柱６を強固に立設でき、よって、例えば植物ａの重みや、例えば強風などの影響によって支柱６が倒れることを阻止でき、例えばこの支柱６につるを支えさせて成長するつる植物のように、支柱６が必須な植物の栽培を良好に行えることとなる。
【００２１】
また、この架設体３は両端部のスライド自在係合部４が前記収容体１の上部開口縁２の対向縁部２Ａ，２Ｂに被嵌しこの被嵌状態のままこの対向縁部２Ａ，２Ｂに沿ってスライド移動自在に構成している。
【００２２】
仮に架設体３を収容体１の上部開口縁２の対向縁部２Ａ，２Ｂ上に載置してビスなどで固定する構成であった場合、架設体３の取り付けが面倒なだけでなくこの架設体３の位置調整を行う際に一々ビスを取り外して架設体３の位置を調整し、再度ビス止めする面倒な作業が必要で作業能率が悪かったところを、本発明では、単に架設体３の両端部のスライド自在係合部４を収容体１の上部開口縁２の対向縁部２Ａ，２Ｂに被嵌するだけで簡単に取り付けできるうえにこの架設体３の位置調整もスライド移動自在な構成故に簡単に行え、よって支柱６の立設位置の調整が簡単に行えることとなる。
【００２３】
また、この架設体３は両端部の各スライド自在係合部４を収容体１の上部開口縁２の対向縁部２Ａ，２Ｂに夫々被嵌状態に係合しているから、例えばこの収容体１が土などを収容したことで変形し膨らもうとしても前記架設体３により形状が変形することが阻止され、ひいては膨らみも阻止されることとなり、このように架設体３がこの収容体１の強度アップも図れることとなる。
【００２４】
尚、この架設体３は、この架設体３の架設方向に前記挿通孔５を複数設けた構成とすれば、例えば一体の架設体３で複数の支柱６を横倒阻止状態に保持したり、例えば支柱６の立設位置を一層様々な位置に設定したりできる。
【００２５】
よって、本発明は、収容体１の上部開口縁２の対向縁部２Ａ，２Ｂ間に架設状態に配設した架設体３によりこの収容体１に支柱６を横倒阻止状態に強固に立設でき、しかもこの架設体３をスライド移動調整して支柱６の立設位置も自在に調整して所望の位置に支柱６を強固に立設でき、更に収容体１自体の強度アップも図り得、例えばトマトやナスなどの支柱６を必須とする植物を収容体１で極めて良好に栽培できるものとする極めて実用性に秀れた画期的な支柱保持具付収容体となる。
【００２６】
また、例えば、前記収容体１の上部開口縁２の一組の対向縁部２Ａ，２Ｂ間に架設状態に配設する一の架設体３と、この一の架設体３と交差状態にして前記一組の対向縁部２Ａ，２Ｂと異なるもう一組の対向縁部２Ａ，２Ｂ間に架設状態に配設する他の架設体３とを有する構成とした場合には、この交差する少なくとも二体の架設体３により、前記収容体１の一層様々な位置に支柱６の立設位置を設定できるから、一層自在に所望の位置に支柱６を立設でき、また、この交差状態に配設する少なくとも二体の架設体３により前記収容体１の強度アップを一層良好に図れることにもなる。しかも、例えばこの互いに交差状態に配設する前記一の架設体３と他の架設体３とは、互いに重合連通する位置に夫々前記挿通孔５を設けた構成とすれば、二体の架設体３を交差状態に配設し、この重合連通する互いの挿通孔５に支柱６を連通状態に挿通配設することで、図２に図示したように、この二体の架設体３が互いに位置ズレ阻止状態に係止されることとなり、ひいては一層安定性良く強固に支柱６を立設状態に保持できることにもなり、一層実用性に秀れることとなる。
【実施例】
【００２７】
本発明の具体的な実施例について図面に基づいて説明する。
【００２８】
本実施例は、植物を栽培する収容体１の上部開口縁２の対向縁部２Ａ，２Ｂ間に架設状態に配設する架設体３の両端部に、この対向縁部２Ａ，２Ｂに被嵌しこの被嵌状態のままこの対向縁部２Ａ，２Ｂに沿ってスライド移動自在となるスライド自在係合部４を設けて、この架設体３をこの収容体１の上部開口縁２の対向縁部２Ａ，２Ｂに沿ってスライド移動自在に架設する構成とし、この架設体３に支柱６を挿通配設する挿通孔５を設け、前記収容体１に収容した土に立設する前記支柱６を前記収容体１の上部開口縁２の対向縁部２Ａ，２Ｂ間に架設した前記架設体３の前記挿通孔５に挿通配設することでこの支柱６が横倒阻止状態に保持されるように構成した支柱保持具付収容体である。
【００２９】
本実施例の架設体３を架設状態に配設する収容体１は樹脂成形品で、具体的には、図１に図示したように、上部開口縁２が略矩形状を呈する箱形に形成し、この上部開口縁２の全周に外方へ突出状態に鍔状のフランジ部８を一体成形した構成で、所謂プランターと呼ばれるこの種の植物栽培用の収容体１として一般に市販されているものと同様の構成としている。尚、このフランジ部８の形状は、図６に図示したように、断面コ字形の折り返し形状に形成しているが、これに限らず、例えばカール状の折り返し湾曲形状など、本実施例と異なる鍔状にフランジ部８を形成しても良い。
【００３０】
また、本実施例では、図１及び図２に図示したように、前記収容体１の上部開口縁２の長手方向に長い（短手方向に対向する）対向縁部２Ａ，２Ｂのフランジ部８上面に、前記架設体３のこの対向縁部２Ａ，２Ｂに沿ったスライド移動を係止する位置決め係止部Ｔを長手方向に並設している。具体的には、この対向縁部２Ａ，２Ｂのフランジ部８上面に、図４に図示したように、上方突出状態に突部９を対設した構成である。尚、この突部９の上方突出量は、前記架設体３を図４に図示したようにスライド移動止め係止でき位置決めできるものの、しかしこの突部９を架設体３が簡単に乗り越えることも可能な程度の僅かな突出量に設定するのが好ましい（架設体３の自由なスライド移動を妨げない為。）。
【００３１】
従って、この位置決め係止部Ｔにより架設体３のスライド移動を止めてこの架設体３の位置をこの位置決め係止部Ｔの位置に設定することができる。
【００３２】
尚、図２及び図３に図示したように、収容体１の短手方向に架設された架設体３をスライド移動調整して、この位置決め係止部Ｔが位置決めする位置に合わせた際に、この収容体１の短手方向に架設された架設体３の挿通孔５と、この収容体１の長手方向に架設された架設体３の挿通孔５とを重合連通する位置に合わせられるようにこの位置決め係止部Ｔの位置を設定しても良い。また、この位置決め係止部Ｔの構成は、本実施例のものに限られるものでは無く、例えば、図５に図示したように、前記架設体３（のスライド自在係合部４）が落ち込んで位置決め係止される凹溝部10を形成する構成としても良い（溝深さは、この凹溝部10に落ち込んだ架設体３が簡単にこの凹溝部10を越えて再度スライド移動を再開できる程度の浅い溝深さに設定するのが好ましい。）。
【００３３】
本実施例では、図１及び図２に図示したように、この収容体の上部開口縁２の互いに略平行状態にしてこの略矩形状の上部開口縁２の短手方向に対向する一組の対向縁部２Ａ，２Ｂ間に架設状態に配設する架設体３と、互いに略平行状態にしてこの略矩形状の上部開口縁２の長手方向に対向するもう一組の対向縁部２Ａ’，２Ｂ’間に架設状態に配設する架設体３とを備えた構成である。
【００３４】
この各架設体３は、図１に図示したように、金属製の板材から成る構成で、具体的には、平板材の両端部を前記収容体１の上部開口縁２の対向縁部２Ａ，２Ｂに被嵌状態に係合する湾曲形状に形成して両端部に前記スライド自在係合部４を設けた構成である。
【００３５】
このスライド自在係合部４は、対向縁部２Ａ，２Ｂの対向する一方の縁部２Ａ若しくは他方の縁部２Ｂのいずれかに上方から着脱自在に圧入被嵌係合、または対向縁部２Ａ’，２Ｂ’の対向する一方の縁部２Ａ’若しくは他方の縁部２Ｂ’のいずれかに上方から着脱自在に圧入被嵌係合する形状で、更に具体的には、図６に図示したように、この収容体１の上部開口縁２のフランジ部８と略合致する形状に形成したものである。
【００３６】
更に、このスライド自在係合部４の内面側にして下端部には内方に向けて突出する係止突部７を形成しており、このスライド自在係合部４をフランジ部８に上方から圧入被嵌係合した際に、図６に図示したように、このスライド自在係合部４の係止突部７がフランジ部８の下端縁と係止するように構成している。
【００３７】
従って、このスライド自在係合部４の係止突部７と前記フランジ部８の下端縁とを係止状態とし、即ち、架設体３をこの収容体１の上部開口縁２の対向縁部２Ａ，２Ｂ間、若しくはもう一組の対向縁部２Ａ’，２Ｂ’間に抜け止め係止状態に架設配設した状態のまま、この対向縁部２Ａ，２Ｂ、若しくはもう一組の対向縁部２Ａ’，２Ｂ’に沿ってスライド移動できる。
【００３８】
また、この架設体３の両端部のスライド自在係合部４間にして長さ方向（架設方向）に挿通孔５を複数並設した構成である。尚、この挿通孔５の孔形状は、図２に図示したように、支柱６の径と略合致する孔形状に設定している。
【００３９】
従って、複数の挿通孔５に複数の支柱６を挿通配設して複数の支柱６を横倒阻止状態に保持したり、この複数の挿通孔５のいずれかを選択使用することでこの支柱６の立設位置を様々に設定できる。
【００４０】
また、図２に図示したように、互いに交差状態に配設する一の架設体３と他の架設体３とは、互いに重合連通する位置に夫々前記挿通孔５を設けた構成としている。
【００４１】
従って、図２に図示したように、収容体１の上部開口縁２の一組の対向縁部２Ａ，２Ｂ間に架設状態に架設体３を配設し、異なるもう一組の対向縁部２Ａ’，２Ｂ’間に架設状態に架設体３を配設して双方の架設体３を交差状態に配設し、重合連通する互いの挿通孔５に支柱６を連通状態に挿通配設することで、この双方の架設体３を、その架設方向だけでなく架設方向と交差する方向にも位置ズレ阻止状態に係止できる。
【００４２】
以上の構成から成る架設体３は、単に金属製の平板材を折り曲げたり穴あけして簡易に生産でき、簡易に設計実現可能にして量産化や低コスト化を容易に図り得る簡易構成品である。
【００４３】
本実施例の架設体３の挿通孔５に挿通する支柱６は、この種の栽培用の支柱６として採用される一般的な構成のものであれば良い（本実施例では、直棒状の支柱６を採用している。）。
【００４４】
本実施例は、上述のように構成したから、図３に図示したように、収容体１に収容した土に支柱６を立設する際に、これまでのように単に支柱６を土に差し込んで立設するのではなく、この収容体１の上部開口縁２の対向縁部２Ａ，２Ｂ間若しくはもう一組の対向縁部２Ａ’，２Ｂ’間に架設状態に配設した架設体３の挿通孔５に支柱６を挿通配設したうえでこの支柱６を土に差し込んで立設する構成としたから、この支柱６が架設体３により横倒阻止状態に保持されて、それだけ強固に支柱６を立設でき、例えば支柱６を単に土に差し込んで立設した場合に比してそれだけ支柱６が倒れる心配もなく良好に植物の栽培が行える。
【００４５】
また、図３に図示したように、架設体３が交差状態に配設し、夫々の挿通孔５を重合連通する位置に合わせて支柱６を連通状態に挿通配設することで、この交差状態に配設した一組の架設体３を、架設方向にも、架設方向と交差する方向にも位置ズレ阻止状態に係止した状態としたうえで支柱６を横倒阻止状態に保持しているので、この支柱６を一層安定性良く強固に横倒阻止状態に保持できる。
【００４６】
また、他の架設体３の挿通孔５と重合連通された挿通孔５だけでなく、残余の挿通孔５にも支柱６を挿通配設して、複数の支柱６を横倒阻止状態に保持できる。しかもこの残余の挿通孔５に挿通配設した支柱６（図３中、右側の支柱６）も、前記他の架設体３の挿通孔５と重合連通された挿通孔５に挿通配設した支柱６（図３中、左側の支柱６）と同様に安定性良く強固に横倒阻止状態に保持できる（即ち、架設体３を交差状態に複数配設し、更に互いの挿通孔５を重合連通する位置に合わせて支柱６を挿通配設することで、この架設体３自体を収容体１に安定性良く位置ズレ阻止状態に強固に係止できる構成の為。）。
【００４７】
また、この架設体３を収容体１に取り付ける作業も、単に架設体３を収容体１に対して上方から架設状態に載置配設し、この架設体３の両端部のスライド自在係合部４を夫々前記収容体１の上部開口縁２のフランジ部８に圧入被嵌係合するだけで、誰でも簡単に行え、更にこの架設体３の架設位置も、架設体３を収容体１に対してビス止め、ビス固定したりする必要なく、単にスライド移動調整により極めて簡単に所望の位置に自在に調整で器取り扱い性に秀れ、よって、例えば図３に図示したように、植物を所定の並設間隔をおいて栽培する際、支柱６をその並設間隔に合わせて収容体１に立設したい場合に、この支柱６の立設位置を調整する作業も簡単に行える。
【００４８】
尚、図３に図示したように、収容体１の短手方向に架設した架設体３は、この収容体１の上部開口縁２の上面の位置決め係止部Ｔを設けた位置に架設位置を設定しても、しなくてもどちらでも良く、また、架設体３をスライド移動してこの位置決め係止部Ｔに位置決め係止させたり、スライド移動により位置決め係止状態を解除することも容易である。
【００４９】
また、この収容体１内に土や水などの収容物を収容した際に仮に収容体１が膨れてしまうと、外観を損ね体裁が悪いだけでなく、収容体１が破損する懸念もあったところを、本実施例においては、架設体３の両端部に設けたスライド自在係合部４を夫々前記収容体１の上部開口縁２の対向縁部２Ａ，２Ｂ若しくはもう一組の対向縁部２Ａ’，２Ｂ’に上方から被嵌状態に係合して、この各架設体３によってこの収容体１が変形することを阻止できるから、この収容体１に土を収容した際にこの収容体１が変形したり破損する心配が無いなど、収容体１の強度アップも確実に図れる。
【００５０】
よって、本実施例は、図３に図示したように、収容体１に支柱６を安定性良く強固に立設でき、しかもこの支柱６の立設位置の調整も簡易に行え、更に収容体１自体の強度アップも図り得、更に生産コスト高の心配もなく簡易に設計実現可能で、この支柱６を必須とする例えばトマトやナスなどのつる植物を収容体１で栽培するにおいて、極めて高い実用価値を有した極めて画期的で実用性に秀れた支柱保持具付収容体となる。
【００５１】
尚、本発明は、本実施例に限られるものではなく、各構成要件の具体的構成は適宜設計し得るものである。
【図面の簡単な説明】
【００５２】
【図１】本実施例に係る支柱保持具付収容体の説明分解斜視図である。
【図２】本実施例に係る支柱保持具付収容体の説明斜視図である。
【図３】本実施例に係る支柱保持具付収容体の使用状態図である。
【図４】本実施例に係る支柱保持具付収容体の収容体１の上部開口縁２の上端面の位置決め部Ｔを示す説明正断面図である。
【図５】本実施例に係る支柱保持具付収容体の収容体１の上部開口縁２の上端面の位置決め部Ｔを示す説明正断面図である。
【図６】本実施例に係る支柱保持具付収容体の収容体１の架設体３を収容体１に架設状態に配設した状態を示す説明側断面図である。
【符号の説明】
【００５３】
１  収容体
２  上部開口縁
２Ａ  縁部
２Ｂ  縁部
２Ａ' 縁部
２Ｂ' 縁部
３  架設体
４  スライド自在係合部
５  挿通孔
６  支柱
８ フランジ部
９ 突部
10 凹溝部
Ｔ 位置決め係止部
【図１】
0004486586.tif 000002
【図２】
0004486586.tif 000003
【図３】
0004486586.tif 000004
【図４】
0004486586.tif 000005
【図５】
0004486586.tif 000006
【図６】
0004486586.tif 000007